(57)【要約】      （修正有）【課題】ネットワーク上で特定の話題（議題）について議論しやすいとともに、そこから派生した議論や決議事項の管理も容易な発言管理システムを実現する。【解決手段】ＳＮＳ（ソーシャルネットワークサービス）やｔｗｉｔｔｅｒ（ｔｗｉｔｔｅｒ社の商標）等のネットワークを介した投稿発言を、プロジェクトとトピックとメッセージとを階層的に管理して、トピックをＴＯＤＯ化することによって、特定の話題（議題）について議論がしやすくなるとともに、そこから派生した議論や決議事項の管理も容易にする。【選択図】図３
2012221226.tif 000002
【特許請求の範囲】
【請求項１】
ネットワークを介して接続された情報端末から送信された投稿発言情報を管理する発言管理サーバにおいて、
前記投稿発言を、プロジェクト情報と、トピック情報と、メッセージ発言とのいずれかの属性を付与して階層的に管理するために、
プロジェクトＩＤとプロジェクト名とを関連付けたプロジェクトテーブルと、
トピックＩＤとトピック名と前記プロジェクトＩＤとを関連付けたトピックテーブルと、
メッセージＩＤとメッセージと、前記トピックＩＤとを関連付けたメッセージテーブルとを有しており、
前記発言管理サーバの中央処理装置は、前記情報端末からの新規プロジェクト作成の入力を受け付けると、プロジェクトＩＤを付与して入力されたプロジェクト名と関連付けて前記プロジェクトテーブルに登録し、
前記プロジェクト毎にトピックの入力を促し、前記情報端末からの新規トピックの入力を受け付けると、トピックＩＤを付与して前記プロジェクトＩＤと関係付けて前記トピックテーブルに登録し、
前記トピック毎にメッセージの入力を促し、前記情報端末からのメッセージの入力を受け付けると、メッセージＩＤを付与して前記トピックＩＤと関係付けて前記メッセージテーブルに登録し、
プロジェクトを１画面単位として、当該表示画面中に前記トピックを表示するトピックペインと、メッセージを表示するメッセージペインとを分割表示する表示画面情報を生成して前記情報端末に送信する発言管理システム。
【請求項２】
前記発言管理サーバの中央処理装置は、前記プロジェクト作成に際して、閲覧または発言投稿を許可するユーザ情報をプロジェクトＩＤに関連付けて前記プロジェクトテーブルに登録する請求項１記載の発言管理システム。
【請求項３】
前記発言管理サーバの中央処理装置は、前記情報端末からの入力によって、前記トピックまたはメッセージにＴＯＤＯ属性を設定することを許可し、前記トピックテーブルのトピックＩＤ、またはメッセージテーブルのメッセージＩＤにＴＯＤＯ属性の有無を関連付けて登録させることを特徴とする請求項１記載の発言管理システム。
【請求項４】
前記発言管理サーバの中央処理装置は、前記情報端末からの入力によって、前記メッセージペインに表示されたメッセージをトピック化することを許可し、トピック化したメッセージを前記トピックテーブルに登録することを特徴とする請求項１記載の発言管理システム。
【発明の詳細な説明】
【技術分野】
【０００１】
本発明は、ネットワーク上での発言管理に利用して有効な技術に関する。
【背景技術】
【０００２】
１４０文字以内の短文を投稿するシステムの一つとして、ｔｗｉｔｔｅｒ（米国ｔｗｉｔｔｅｒ社の商標）が知られている。
【０００３】
このような短文投稿システムでは、ユーザ自身でその投稿を追跡閲覧（フォロー）するユーザを設定するとともに、自身の投稿発言もフォローしているユーザから追跡閲覧されるものである。
【０００４】
ところで、このような短文投稿システムで、特定の話題（テーマ）について議論する場合、ハッシュタグ（「＃」と文字列の組み合わせ）と呼ばれる特定のタグを用いて、このハッシュタグが付与された投稿発言のみを検索するようにして議論することも可能である。
【０００５】
なお、ｔｗｉｔｔｅｒの投稿発言に含まれる用語から取得される情報に基づいて広告情報を表示させる先行技術として、特開２００９−１９３１３３号公報（特許文献１）がある。
【先行技術文献】
【特許文献】
【０００６】
【特許文献１】特開２００９−１９３１３３号公報
【発明の概要】
【発明が解決しようとする課題】
【０００７】
しかし、前記先行特許文献１をはじめとして、この種の短文投稿システムでは、特定の議題に対する議論を行うインフラとしては十分に配慮されてはいなかった。たとえば上記のようにハッシュタグを用いて特定の話題（テーマ）を識別することは可能であっても、投稿発言が単に時系列に表示されるだけであり、その話題（テーマ）から派生したサブテーマ等の議論だけを追跡したり、その議題の決定事項を確認したり、その決定事項に基づくＴＯＤＯ事項を管理するのには適していなかった。
【０００８】
本発明は、このような点に鑑みてなされたものであり、ネットワーク上で特定の話題（議題）について議論しやすいとともに、そこから派生した議論や決議事項の管理も容易な発言管理システムを実現することを技術的課題とする。
【課題を解決するための手段】
【０００９】
本発明は、前記課題を解決するために、以下の手段を採用した。
【００１０】
本発明の請求項１は、ネットワークを介して接続された情報端末から送信された投稿発言情報を管理する発言管理サーバにおいて、前記投稿発言を、プロジェクト情報と、トピック情報と、メッセージ発言とのいずれかの属性を付与して階層的に管理するために、プロジェクトＩＤとプロジェクト名とを関連付けたプロジェクトテーブルと、トピックＩＤとトピック名と前記プロジェクトＩＤとを関連付けたトピックテーブルと、メッセージＩＤとメッセージと、前f記トピックＩＤとを関連付けたメッセージテーブルとを有してお
り、前記発言管理サーバの中央処理装置は、前記情報端末からの新規プロジェクト作成の
入力を受け付けると、プロジェクトＩＤを付与して入力されたプロジェクト名と関連付けて前記プロジェクトテーブルに登録し、前記プロジェクト毎にトピックの入力を促し、前記情報端末からの新規トピックの入力を受け付けると、トピックＩＤを付与して前記プロジェクトＩＤと関係付けて前記トピックテーブルに登録し、前記トピック毎にメッセージの入力を促し、前記情報端末からのメッセージの入力を受け付けると、メッセージＩＤを付与して前記トピックＩＤと関係付けて前記メッセージテーブルに登録し、プロジェクトを１画面単位として、当該表示画面中に前記トピックを表示するトピックペインと、メッセージを表示するメッセージペインとを分割表示する表示画面情報を生成して前記情報端末に送信する発言管理システムである。
【００１１】
本発明の請求項２は、前記発言管理サーバの中央処理装置は、前記プロジェクト作成に際して、閲覧または発言投稿を許可するユーザ情報をプロジェクトＩＤに関連付けて前記プロジェクトテーブルに登録する請求項１記載の発言管理システムである。
【００１２】
本発明の請求項３は、前記発言管理サーバの中央処理装置は、前記情報端末からの入力によって、前記トピックまたはメッセージにＴＯＤＯ属性を設定することを許可し、前記トピックテーブルのトピックＩＤ、またはメッセージテーブルのメッセージＩＤにＴＯＤＯ属性の有無を関連付けて登録させることを特徴とする請求項１記載の発言管理システムである。
【００１３】
本発明の請求項４は、前記発言管理サーバの中央処理装置は、前記情報端末からの入力によって、前記メッセージペインに表示されたメッセージをトピック化することを許可し、トピック化したメッセージを前記トピックテーブルに登録することを特徴とする請求項１記載の発言管理システムである。
【発明の効果】
【００１４】
本発明によれば、ネットワークを介した投稿発言を、プロジェクトとトピックとメッセージとを階層的に管理することによって、特定の話題（議題）について議論がしやすくなるとともに、そこから派生した議論や決議事項の管理も容易となる。
【図面の簡単な説明】
【００１５】
【図１】本発明の実施形態の各テーブルの構成と関係を示す説明図
【図２】実施形態の各投稿発言の階層構造を示す説明図
【図３】実施形態のネットワーク構成を示す説明図
【図４】実施形態の発言管理サーバの構成を示す説明図
【図５】本実施形態の初期画面
【図６】実施形態のプロジェクト登録画面
【図７】実施形態の共有設定画面（１）
【図８】実施形態の共有設定画面（２）
【図９】実施形態のメッセージ追加画面
【図１０】実施形態のトピック追加画面（１）
【図１１】実施形態のトピック追加画面（２）
【図１２】実施形態のメッセージのトピック化画面（１）
【図１３】実施形態のメッセージのトピック化画面（２）
【図１４】実施形態のメッセージのトピック化画面（３）
【図１５】実施形態のタグ追加画面
【図１６】実施形態のＴＯＤＯ追加画面（１）
【図１７】実施形態のＴＯＤＯ追加画面（２）
【図１８】実施形態のＴＯＤＯ追加画面（３）
【図１９】実施形態のＴＯＤＯ解除画面
【図２０】実施形態のテキストボックスを用いたＴＯＤＯ追加画面（１）
【図２１】実施形態のテキストボックスを用いたＴＯＤＯ追加画面（２）
【図２２】実施形態のノート追加画面（１）
【図２３】実施形態のノート追加画面（２）
【図２４】実施形態のノート追加画面（３）
【図２５】実施形態のハイライト追加画面
【図２６】実施形態のハイライト項目のみの表示指示画面
【図２７】実施形態のハイライト項目のみ表示画面
【発明を実施するための形態】
【００１６】
本発明を図に基づいて説明する。
【００１７】
本発明は、図３に示すように情報端末としてのパーソナルコンピュータや基地局（ＢＳ）を介した携帯電話端末（ＭＰ）とがネットワーク（ＮＷ）で接続された構成であり、当該ネットワーク（ＮＷ）を介して同じく接続された発言管理サーバ（ＳＶ）により投稿発言が管理されるようになっている。
【００１８】
ネットワーク（ＮＷ）は、いわゆるインターネットであり、ＴＣＰ／ＩＰによる通信方式で双方向通信が可能となっている。
【００１９】
発言管理サーバ（ＳＶ）は、図４に示すように、中央処理装置（ＣＰＵ）およびメインメモリ（ＭＭ）を中心に、バス（ＢＵＳ）を介して接続された大規模記憶装置としてのハードディスク装置（ＨＤ）、ディスプレイ装置（ＤＩＳＰ）、キーボード（ＫＢＤ）が接続されている。そしてこの発言管理サーバ（ＳＶ）は、インターフェース（Ｉ／Ｏ）を介して前記ネットワーク（ＮＷ）と接続されて通信可能となっている。
【００２０】
ハードディスク装置（ＨＤ）内には、オペレーティングシステム（ＯＳ）とともに、サーバアプリケーションプログラム（ＳＶＡＰＬ）が登録されている。また、後述の各種テーブルも登録されている。このサーバアプリケーションプログラム（ＳＶＡＰＬ）をバス（ＢＵＳ）およびメインメモリ（ＭＭ）を介して中央処理装置（ＣＰＵ）が順次実行処理することによって、以下に説明する発言管理サーバの機能が実現されるようになっている。
【００２１】
図１は、前記ハードディスク装置（ＨＤ）内に設定されているプロジェクトテーブルと、トピックテーブルと、メッセージテーブルとで構成されている。
【００２２】
プロジェクトテーブルは、プロジェクトＩＤとプロジェクト名（ｎａｍｅ）が関連付けられて登録されている。ここでは後述のプロジェクトが生成されると中央処理装置（ＣＰＵ）によってプロジェクトＩＤが付与されて、このテーブルに登録されるようになっている。
【００２３】
トピックテーブルは、トピックＩＤと、トピックテーマ（ｎａｍｅ）と、プロジェクトＩＤとＴＯＤＯ識別子（ｉｓ＿ｔｏｄｏ）とが関連付けられて登録されている。つまり、トピックテーブルにプロジェクトＩＤが登録されることにより、トピックはプロジェクトの下位階層として管理されるようになっている。また、ＴＯＤＯ識別子（ｉｓ＿ｔｏｄｏ）を登録することによって、トピックそのものをＴＯＤＯ（やらなければならない処理）として下位にメッセージを作成して管理できるようになっている。
メッセージテーブルには、メッセージＩＤと、メッセージ（ｔｅｘｔ）と、トピックＩＤ（ｔｏｐｉｃ＿ｉｄ）とが関連付けて管理されている。
このような、各種テーブルの階層構造を具体的に示したものが図２である。同図では、「
会議ツールプロジェクト」というプロジェクト名の下に、「競合について」と「新機能について」という２つのトピックが設定されている。また、「競合について」というトピックの下には、「ｆｌｏｗ」および「ｒｅｍｅｍｂｅｒ  ｔｈｅ  ｍｉｌｋ」というメッセージがそれぞれ設定されている。また、「新機能について」というトピックの下には、「話題の分岐が作れる」というメッセージが設定されている。
【００２４】
このように本実施形態では、発言投稿が、３つのテーブルによって、プロジェクト、トピックおよびメッセージとしてそれぞれＩＤが付与されて管理されている点が特徴である。
【００２５】
なお、説明は省略したが、ハードディスク装置（ＨＤ）には、上記の３つのテーブルの他に、発言および閲覧を許可するユーザの個人情報を登録するユーザテーブルあるいはユーザデータベースを設定しておくことが望ましい。
【００２６】
次に図５〜図２７を用いて、本実施形態の発言投稿と情報端末の画面遷移について説明する。
【００２７】
図５は、あるユーザが情報端末を用いて、新しいプロジェクトを登録する際の画面である。ユーザが情報端末を介して発言管理サーバ（ＳＶ）のＵＲＬを指定してアクセスすると、当該サーバ（ＳＶ）に格納されたＷｅｂアプリケーションプログラム（「ｓｏｗｇｈｔ」（キセツ社の商標））に基づいて、同図に示す画面が当該ユーザの情報端末に送信・表示される。
【００２８】
画面は基本的には、図９に示すように、最上段のプロジェクト表示ペインと、その下画面の左列に表示されるトピックペインと、中央列に表示されるメッセージペインとで構成されている。
【００２９】
初期画面、すなわち図５に示すようにプロジェクト新規作成」をマウスポインタで指定してエンター入力を行うと、新たなプロジェクトが作成できるようになっている。ここで図６に示すように、ユーザが新たなプロジェクト名を入力すると、このプロジェクト名は中央処理装置（ＣＰＵ）によって、プロジェクトＩＤが付与されて前述のプロジェクトテーブルに登録される。また、プロジェクト名の入力とともに、テキストとして「概要」を登録することもできる。また、図７および図８に示すように、当該プロジェクトに関する投稿発言（トピックおよびメッセージ）を入力・閲覧できるユーザを共有ユーザとして設定できるようにしてもよい。なお、この共有設定はプロジェクト単位で設定できるようにしているが、これに限らずトピック毎、あるいはメッセージ毎に共有可否を個別に設定できるようにしてもよい。
【００３０】
前記プロジェクト「会議促進ツールプロジェクト」に対しては、複数のトピックを設定することができる。新規トピックの作成は図９および図１０に示す様に、画面左列のトピックペインの最上位に表示された「新規トピック」を指定することにより可能である。ここで、新規トピックとして「新機能について」が入力されると、図１に示すようにトピックテーブル上にトピック名（ｎａｍｅ）が親となるプロジェクトＩＤと関連付けられてトピックＩＤが付与されて登録される。
【００３１】
このようにして作成された複数のトピックに対して、複数のメッセージが登録できるようになっている。図１１は「新機能について」という新しいトピックが生成された状態を示しており、この状態ではまだ右列のメッセージペインには何も登録されていない。
【００３２】
中央列のメッセージペインのそれぞれのメッセージで「トピック化」を指定することに
よって、既に登録されたメッセージをトピックに昇格させることができるようになっている。このように中央列のメッセージペインで特定のメッセージ「特徴はどこだろう？」をトピック化した場合、右列のサブメッセージペインが表示され、トピック化した中央列のメッセージに対して発言投稿ができるようになっている。このように、既存のメッセージをトピック化した場合には、メッセージテーブルの元メッセージをトピックテーブルに複製してトピックＩＤを付与しておいてもよい（図１参照）。このようにトピック化された場合、右列のメッセージペインのメッセージは共有ユーザ（共有範囲）と、当該議論の期限を設定できるようにしてもよい。このように、期限を設定することで期限が到来する前に共有設定されたユーザに対してメールやメッセージ等で通知することで注意を促すことができる。このようなメールアドレスやメッセージＩＤは、前述の図示を省略したユーザテーブルまたはユーザデータベースに登録しておいてもよい。図１４はトピック化したメッセージ「特徴はどこだろう？」に対して右列のサブメッセージペインに３との投稿発言がなされて表示されている状態を示している。
【００３３】
図１５は、タグ機能を示したものであり、トピックに対してタグを付与して後からの検索を容易にしてもよい。タグが付与されたトピックは左列のトピックペインでの表示に際して星印が付与される。
【００３４】
図１６は、タグが付与された特定のトピック「ということは○○について考えたほうがいいよね。」に対してメッセージを追加する場合の画面表示を示している。
【００３５】
図１８は、メッセージをＴＯＤＯ化する場合の画面表示を示している。この画面では、「どんなところが問題？」というメッセージに対して「ｔｏｄｏ化」を選択すると、「いままでの会議について」というトピックと「どんなところが問題？」というメッセージの組み合わせに対してＴＯＤＯが設定される。このようにＴＯＤＯが設定されたトピックはトピックテーブルのトピック識別子が「ＴＲＵＥ」にセットされるようになっている（図１ではまだ「ＦＡＬＳＥ」がセットされた状態になっている）。また、ＴＯＤＯ化した中央列のメッセージペインの該当メッセージには、「ｔｏｄｏ化をやめる」の表示が追加されている。この「ｔｏｄｏ化をやめる」を指定することによって、ＴＯＤＯ化が解除されるようになっている。
【００３６】
既存のメッセージではなく、新たにＴＯＤＯ属性を有するメッセージを直接入力することもできる。この場合は、図２０に示すように中央列のメッセージペインの最下段に表示されたテキストボックスに、「ｔｏｄｏ：」の記述とともにＴＯＤＯ化すべき発言「資料を用意する」を入力してもよい。このようにテキストボックスに直接ＴＯＤＯメッセージを入力した場合、図２１に示すようにこのＴＯＤＯメッセージがトピック化するとともに、図１に示すようにトピックテーブルにトピックＩＤとともに、トピック名（ｎａｍｅ）として「資料を用意する」が設定され、そのＴＯＤＯ識別子（ｉｓ  ｔｏｄｏ）が「ＴＲＵＥ」がセットされる。
【００３７】
図２２は、特定のトピックに対してメモ（ノート）を記入する画面を示している。同図に示すように、メッセージペインの最上部のトピック名「いままでの会議について」の下に「ノートを入力」が表示される。この表示は、当該トピックに期限を設定した場合に期限の１週間前になると表示されるようにしてもよい。この場合、トピックテーブルには図示を省略したが、期限を関連付けて登録できるようにしておけばよい。この「ノートを入力」は、当該トピックに関する議論の結論や注釈を記載しておくようにすればよい。図２３は、ノートとして「タスク追加完了」を入力してメッセージペインに入力された「タスク追加完了」が追加された状態を示している。
【００３８】
図２５〜図２７は、ハイライト表示機能を示している。メッセージペインのメッセージ
毎には「ハイライト」の文字が表示されており、これを指定することで当該メッセージが黄色いマーカ等でハイライト表示されるようになっている。また、ハイライト表示されたメッセージには、「ハイライトをやめる」表示が付記されており、これを指定すると、当該メッセージのハイライト表示が解除される。なお、図示は省略したがこのハイライト表示については、メッセージテーブルにハイライト識別子をメッセージに関連付けて登録できるようにしておき、メッセージ識別子が「ＴＲＵＥ」の場合に当該メッセージをハイライト表示するように制御してもよい。
【００３９】
以上のように、本発明を実施形態に基づいて説明したが、本実施形態はこれに限定されるものではない。たとえば、メッセージの「トピック化」、「タグ追加」、「ｔｏｄｏ化」、「ノートを入力」、「ハイライト表示」等のオプション入力については、説明の便宜上、必要な図のトピックあるいはメッセージのみに表示させた状態で説明したが、全てのトピックまたはメッセージに表示しておくことが望ましい。
【産業上の利用可能性】
【００４０】
本発明は、ＳＮＳやｔｗｉｔｔｅｒ（ｔｗｉｔｔｅ社の商標）等のネットワーク上での発言管理に利用できる。
【符号の説明】
【００４１】
ＳＶ  発言管理サーバ
ＮＷ  ネットワーク
ＰＣ  情報処理装置
ＢＳ  基地局
ＭＰ  携帯情報端末
【図１】
2012221226.tif 000003
【図２】
2012221226.tif 000004
【図３】
2012221226.tif 000005
【図４】
2012221226.tif 000006
【図５】
2012221226.tif 000007
【図６】
2012221226.tif 000008
【図７】
2012221226.tif 000009
【図８】
2012221226.tif 000010
【図９】
2012221226.tif 000011
【図１０】
2012221226.tif 000012
【図１１】
2012221226.tif 000013
【図１２】
2012221226.tif 000014
【図１３】
2012221226.tif 000015
【図１４】
2012221226.tif 000016
【図１５】
2012221226.tif 000017
【図１６】
2012221226.tif 000018
【図１７】
2012221226.tif 000019
【図１８】
2012221226.tif 000020
【図１９】
2012221226.tif 000021
【図２０】
2012221226.tif 000022
【図２１】
2012221226.tif 000023
【図２２】
2012221226.tif 000024
【図２３】
2012221226.tif 000025
【図２４】
2012221226.tif 000026
【図２５】
2012221226.tif 000027
【図２６】
2012221226.tif 000028
【図２７】
2012221226.tif 000029